(57)【要約】  一つの実施形態に係る無線端末は、移動通信システムにおいて用いられる。前記無線端末は、下りリンク制御チャネルを間欠的に監視する拡張ＤＲＸ動作がネットワークから設定されている場合、前記無線端末の移動速度に関する値と閾値との比較結果に基づいて、前記拡張ＤＲＸ動作に関する制御を行う制御部を備える。
2016136958.tif 000002
【特許請求の範囲】
【請求項１】
移動通信システムにおいて用いられる無線端末であって、
下りリンク制御チャネルを間欠的に監視する拡張ＤＲＸ動作がネットワークから設定されている場合、前記無線端末の移動速度に関する値と閾値との比較結果に基づいて、前記拡張ＤＲＸ動作に関する制御を行う制御部を備える無線端末。
【請求項２】
前記制御部は、前記ネットワークから受信した測定設定情報に基づいて、所定の測定周期で下りリンク参照信号に対する測定を行い、
前記制御部は、前記無線端末の移動速度に関する値が前記閾値を超えた場合、前記所定の測定周期よりも短い測定周期に変更する請求項１に記載の無線端末。
【請求項３】
前記所定の測定周期は、前記拡張ＤＲＸ動作におけるＤＲＸサイクルに応じて定められる請求項２に記載の無線端末。
【請求項４】
前記制御部は、前記ネットワークから受信した閾値情報に基づいて、前記閾値を設定する請求項１に記載の無線端末。
【請求項５】
前記制御部は、前記拡張ＤＲＸ動作におけるＤＲＸサイクルに基づいて、前記閾値を設定する請求項１に記載の無線端末。
【請求項６】
前記制御部は、前記セルのサイズを示すセルサイズ情報及び前記測定により得られた測定値の少なくとも１つに基づいて、前記閾値を設定する請求項１に記載の無線端末。
【請求項７】
前記測定設定情報は、前記ネットワークに対して測定報告を送信する条件を示す報告条件を含み、
前記制御部は、前記無線端末の移動速度に関する値に応じて、前記報告条件を変更する請求項２に記載の無線端末。
【請求項８】
前記制御部は、前記測定の結果、前記ネットワークに対して測定報告を送信する条件を示す報告条件が満たされた場合、スケジューリング要求又はランダムアクセスプリアンブルを前記ネットワークに送信する請求項２に記載の無線端末。
【請求項９】
前記制御部は、前記スケジューリング要求又は前記ランダムアクセスプリアンブルを前記ネットワークに送信した後、前記拡張ＤＲＸ動作を停止する請求項８に記載の無線端末。
【請求項１０】
前記制御部は、前記スケジューリング要求を送信した後、特別なバッファ状態報告を前記ネットワークに送信することにより、前記拡張ＤＲＸ動作の停止を前記ネットワークに通知する請求項９に記載の無線端末。
【請求項１１】
前記制御部は、前記ランダムアクセスプリアンブルを送信した後、特別な接続要求メッセージを前記ネットワークに送信することにより、前記拡張ＤＲＸ動作の停止を前記ネットワークに通知する請求項９に記載の無線端末。
【請求項１２】
前記制御部は、前記拡張ＤＲＸ動作を停止するとともに、前記拡張ＤＲＸ動作に比べてＤＲＸサイクルが短い所定のＤＲＸ動作に遷移する請求項９に記載の無線端末。
【請求項１３】
前記制御部は、前記拡張ＤＲＸ動作のための第１のＤＲＸパラメータを含む第１のＤＲＸ設定情報と、前記所定のＤＲＸ動作のための第２のＤＲＸパラメータを含む第２のＤＲＸ設定情報と、を有しており、
前記制御部は、前記第１のＤＲＸパラメータの一部と前記第２のＤＲＸパラメータの一部との組み合わせを前記所定のＤＲＸ動作に適用する請求項１２に記載の無線端末。
【請求項１４】
前記制御部は、前記スケジューリング要求又は前記ランダムアクセスプリアンブルを前記ネットワークに送信した後においても、前記拡張ＤＲＸ動作を継続する請求項８に記載の無線端末。
【請求項１５】
前記制御部は、前記無線端末の移動速度に関する値が前記閾値を超えた場合、前記拡張ＤＲＸ動作を停止する請求項１に記載の無線端末。
【請求項１６】
前記制御部は、前記ネットワークがセル間非同期である状況下で、前記無線端末の移動速度に関する値が前記閾値を超えた場合、前記拡張ＤＲＸ動作を停止する請求項１５に記載の無線端末。
【請求項１７】
前記制御部は、前記拡張ＤＲＸ動作を停止するか否かを示す情報を前記ネットワークに送信する請求項１５に記載の無線端末。
【請求項１８】
前記制御部は、前記ネットワークが前記セル間非同期であることを示す情報を前記ネットワークから取得する請求項１６に記載の無線端末。
【請求項１９】
前記制御部は、無線信号に対する測定を行うことにより、前記ネットワークが前記セル間非同期であるか否かを自律的に判断する請求項１６に記載の無線端末。
【請求項２０】
移動通信システムの無線端末を制御するプロセッサであって、
下りリンク制御チャネルを間欠的に監視する拡張ＤＲＸ動作がネットワークから設定されている場合、前記無線端末の移動速度に関する値と閾値との比較結果に基づいて、前記拡張ＤＲＸ動作に関する制御を行うプロセッサ。
【請求項２１】
移動通信システムにおいて用いられる無線端末であって、
下りリンク制御チャネルを間欠的に監視する拡張ＤＲＸ動作がネットワークから設定されている場合に、前記ネットワークがセル間非同期であると、前記拡張ＤＲＸ動作を禁止する無線端末。
【請求項２２】
移動通信システムにおいて用いられる無線端末を制御するプロセッサであって、
下りリンク制御チャネルを間欠的に監視する拡張ＤＲＸ動作がネットワークから設定されている場合に、前記ネットワークがセル間非同期であると、前記拡張ＤＲＸ動作を禁止するプロセッサ。
【発明の詳細な説明】
【技術分野】
【０００１】
本発明は、移動通信システムにおいて用いられる無線端末及びプロセッサに関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、無線端末の消費電力を削減するための間欠受信技術として、非連続受信（ＤＲＸ）が規定されている。ＤＲＸ動作を行う無線端末は、下りリンク制御チャネルを間欠的に監視する。下りリンク制御チャネルを監視する周期は「ＤＲＸサイクル」と称される。【０００３】
近年、移動通信システムにおいて人が介在することなく無線端末が通信を行うマシンタイプコミュニケーション（ＭＴＣ）が注目されている。このような背景から、既存のＤＲＸサイクルよりも長い拡張ＤＲＸ（ｅｘｔｅｎｄｅｄ  ＤＲＸ）サイクルを新たに導入し、更なる消費電力の削減を図ることが検討されている。拡張ＤＲＸサイクルを使用するＤＲＸは拡張ＤＲＸと称される。
【発明の概要】
【０００４】
一つの実施形態に係る無線端末は、移動通信システムにおいて用いられる。前記無線端末は、下りリンク制御チャネルを間欠的に監視する拡張ＤＲＸ動作がネットワークから設定されている場合、前記無線端末の移動速度に関する値と閾値との比較結果に基づいて、前記拡張ＤＲＸ動作に関する制御を行う制御部を備える。
【０００５】
一つの実施形態に係るプロセッサは、移動通信システムの無線端末を制御する。前記プロセッサは、下りリンク制御チャネルを間欠的に監視する拡張ＤＲＸ動作がネットワークから設定されている場合、前記無線端末の移動速度に関する値と閾値との比較結果に基づいて、前記拡張ＤＲＸ動作に関する制御を行う。
【図面の簡単な説明】
【０００６】
【図１】第１実施形態及び第２実施形態に係るＬＴＥシステムの構成図である。
【図２】第１実施形態及び第２実施形態に係る無線インターフェイスのプロトコルスタック図である。
【図３】第１実施形態及び第２実施形態に係る無線フレームの構成図である。
【図４】コネクティッドモードのＤＲＸ動作を示す図である。
【図５】コネクティッドモードにおけるＤＲＸパラメータの一例を示す図である。
【図６】第１実施形態及び第２実施形態に係るＵＥのブロック図である。
【図７】第１実施形態及び第２実施形態に係るｅＮＢのブロック図である。
【図８】第１実施形態に係る動作シーケンスを示す図である。
【図９】第１実施形態の変更例１に係る移動速度判定方法を示すフロー図である。
【図１０】第２実施形態に係る動作環境の一例を示す図である。
【図１１】第２実施形態に係る動作シーケンスの一例を示す図である。
【発明を実施するための形態】
【０００７】
［実施形態の概要］
一つの実施形態に係る無線端末は、移動通信システムにおいて用いられる。前記無線端末は、下りリンク制御チャネルを間欠的に監視する拡張ＤＲＸ動作がネットワークから設定されている場合、前記無線端末の移動速度に関する値と閾値との比較結果に基づいて、前記拡張ＤＲＸ動作に関する制御を行う制御部を備える。
【０００８】
一つの実施形態に係るプロセッサは、移動通信システムの無線端末を制御する。前記プロセッサは、下りリンク制御チャネルを間欠的に監視する拡張ＤＲＸ動作がネットワークから設定されている場合、前記無線端末の移動速度に関する値と閾値との比較結果に基づいて、前記拡張ＤＲＸ動作に関する制御を行う。
【０００９】
一つの実施形態に係る無線端末は、移動通信システムにおいて用いられる。前記無線端末は、下りリンク制御チャネルを間欠的に監視する拡張ＤＲＸ動作がネットワークから設定されている場合に、前記ネットワークがセル間非同期であると、前記拡張ＤＲＸ動作を禁止する。
【００１０】
一つの実施形態に係るプロセッサは、移動通信システムにおいて用いられる無線端末を制御する。前記プロセッサは、下りリンク制御チャネルを間欠的に監視する拡張ＤＲＸ動作がネットワークから設定されている場合に、前記ネットワークがセル間非同期であると、前記拡張ＤＲＸ動作を禁止する。
【００１１】
［第１実施形態］
（移動通信システム）
以下において、第１実施形態に係る移動通信システムであるＬＴＥシステムについて説明する。図１は、ＬＴＥシステムの構成を示す図である。
【００１２】
図１に示すように、ＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００１３】
ＵＥ１００は、無線端末に相当する。ＵＥ１００は、移動型の通信装置であり、セル（サービングセル）との無線通信を行う。ＵＥ１００の構成については後述する。
【００１４】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００１５】
ｅＮＢ２００は、１又は複数のセルを管理しており、自己が管理するセル（自セル）との接続を確立したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として使用される他に、ＵＥ１００との無線通信を行う機能を示す用語としても使用される。
【００１６】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御等を行う。Ｓ−ＧＷは、データの転送制御を行う。ＭＭＥ／Ｓ−ＧＷ３００は、Ｓ１インターフェイスを介してｅＮＢ２００と接続される。Ｅ−ＵＴＲＡＮ１０及びＥＰＣ２０は、ネットワークを構成する。
【００１７】
図２は、ＬＴＥシステムにおける無線インターフェイスのプロトコルスタック図である。図２に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００１８】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御信号が伝送される。
【００１９】
ＭＡＣ層は、データの優先制御、ハイブリッドＡＲＱ（ＨＡＲＱ）による再送処理、及びランダムアクセス手順等を行う。ＵＥ１００のＭＡＣ層とｅＮＢ２００のＭＡＣ層との間では、トランスポートチャネルを介してデータ及び制御信号が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００２０】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御信号が伝送される。
【００２１】
ＰＤＣＰ層は、ヘッダ圧縮・伸張、及び暗号化・復号化を行う。
【００２２】
ＲＲＣ層は、制御信号を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッドモード（コネクティッドモード）であり、そうでない場合、ＵＥ１００はＲＲＣアイドルモード（アイドルモード）である。
【００２３】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。
【００２４】
図３は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００２５】
図３に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのシンボル及び１つのサブキャリアにより１つのリソースエレメント（ＲＥ）が構成される。また、ＵＥ１００に割り当てられる無線リソース（時間・周波数リソース）のうち、周波数リソースはリソースブロックにより特定でき、時間リソースはサブフレーム（又はスロット）により特定できる。
【００２６】
下りリンクにおいて、各サブフレームの先頭数シンボルの区間は、主に下りリンク制御信号を伝送するための物理下りリンク制御チャネル（ＰＤＣＣＨ）として使用される領域である。ＰＤＣＣＨの詳細については後述する。また、各サブフレームの残りの部分は、主に下りリンクデータを伝送するための物理下りリンク共有チャネル（ＰＤＳＣＨ）として使用できる領域である。
【００２７】
上りリンクにおいて、各サブフレームにおける周波数方向の両端部は、主に上りリンク制御信号を伝送するための物理上りリンク制御チャネル（ＰＵＣＣＨ）として使用される領域である。各サブフレームにおける残りの部分は、主に上りリンクデータを伝送するための物理上りリンク共有チャネル（ＰＵＳＣＨ）として使用できる領域である。
【００２８】
（コネクティッドモードにおけるＤＲＸ）
以下において、コネクティッドモードにおけるＤＲＸについて説明する。図４は、コネクティッドモードのＤＲＸ動作を行うＵＥ１００の動作を示す図である。図５は、コネクティッドモードにおけるＤＲＸパラメータの一例を示す図である。
【００２９】
図４に示すように、コネクティッドモードにおいてＤＲＸ動作を行うＵＥ１００は、ＰＤＣＣＨを間欠的に監視する。ＰＤＣＣＨを監視する周期は「ＤＲＸサイクル（ＤＲＸ  Ｃｙｃｌｅ）」と称される。また、ＤＲＸサイクルごとに発生する監視期間は「オン期間（Ｏｎ  ｄｕｒａｔｉｏｎ）」と称される。「Ｏｎ  ｄｕｒａｔｉｏｎ」は、「ウェイクアップ期間」と称されることもある。ＰＤＣＣＨを監視しなくてもよい期間は、「スリープ期間」（又は「Ｏｐｐｏｒｔｕｎｉｔｙ  ｆｏｒ  ＤＲＸ」）と称されることもある。
【００３０】
下りリンクデータはＰＤＳＣＨを介して伝送され、ＰＤＳＣＨのスケジューリング情報がＰＤＣＣＨに含まれている。ＵＥ１００は、「Ｏｎ  ｄｕｒａｔｉｏｎ」においてＰＤＣＣＨを介してスケジューリング情報を検出した場合、スケジューリング情報により指定されたデータを受信することができる。
【００３１】
図５に示すように、既存のＤＲＸサイクルには、ショートＤＲＸサイクル及びロングＤＲＸサイクルがある。ショートＤＲＸサイクル及びロングＤＲＸサイクルは、「Ｏｎ  ｄｕｒａｔｉｏｎ」は同じで、スリープ期間の長さが異なる。例えば、「Ｏｎ  ｄｕｒａｔｉｏｎ」は、１ｍｓから２００ｍｓまでの間で「Ｏｎ  ｄｕｒａｔｉｏｎ  ｔｉｍｅｒ」により設定が可能である。ロングＤＲＸサイクル（及びオフセット時間）は「ｌｏｎｇＤＲＸ−ＣｙｃｌｅＳｔａｒｔＯｆｆｓｅｔ」により設定され、ショートＤＲＸサイクルは「ｓｈｏｒｔＤＲＸ−Ｃｙｃｌｅ」により設定される。なお、３ＧＰＰの仕様において、ＤＲＸが設定される場合、ロングＤＲＸが必須機能であり、ショートＤＲＸはオプション機能である。よって、ロングＤＲＸが設定されても、ショートＤＲＸサイクルはＵＥ１００に設定されないことがある。
【００３２】
ＤＲＸは、下記のような複数のタイマに基づいて制御される。
【００３３】
・「ｄｒｘ−ＩｎａｃｔｉｖｉｔｙＴｉｍｅｒ」  上りリンク（ＵＬ）或いは下りリンク（ＤＬ）のユーザデータのスケジューリングを示すＰＤＣＣＨを正しく復号した後の連続するサブフレーム（ＰＤＣＣＨサブフレーム）の数
・「ＨＡＲＱ  ＲＴＴ  Ｔｉｍｅｒ」  ＤＬのＨＡＲＱ再送が行われるまでの最小サブフレーム数
・「ｄｒｘ−ＲｅｔｒａｎｓｍｉｓｓｉｏｎＴｉｍｅｒ」  再送に使用される期間
【００３４】
ＵＥ１００は、「Ｏｎ  ｄｕｒａｔｉｏｎ」中に新規ＤＬデータを受信すると「ｄｒｘ−ＩｎａｃｔｉｖｉｔｙＴｉｍｅｒ」を起動する。同時に、「ＨＡＲＱ  ＲＴＴ  Ｔｉｍｅｒ」を起動する。ＤＬデータを正しく復号できなかった場合、「ＨＡＲＱ  ＲＴＴ  Ｔｉｍｅｒ」が満了すると同時に「ｄｒｘ−ＲｅｔｒａｎｓｍｉｓｓｉｏｎＴｉｍｅｒ」を起動する。ＵＥ１００は、ＤＬデータの再送を受け、正しく復号できた場合、「ｄｒｘ−ＲｅｔｒａｎｓｍｉｓｓｉｏｎＴｉｍｅｒ」を停止する。そして、「ｄｒｘ−ＩｎａｃｔｉｖｉｔｙＴｉｍｅｒ」が満了すると同時にスリープ期間に移る。
【００３５】
なお、「Ｏｎ  ｄｕｒａｔｉｏｎ  ｔｉｍｅｒ」、「ｄｒｘ−ＩｎａｃｔｉｖｉｔｙＴｉｍｅｒ」、「ｄｒｘ−ＲｅｔｒａｎｓｍｉｓｓｉｏｎＴｉｍｅｒ」が動作中の状態は、「Ａｃｔｉｖｅ状態」と称される。ＵＥ１００は、「Ａｃｔｉｖｅ状態」においてＰＤＣＣＨを監視する。「Ａｃｔｉｖｅ状態」ではないＤＲＸ動作は「Ｉｎａｃｔｉｖｅ状態」と称される。
【００３６】
次に、ショートＤＲＸ動作（ショートＤＲＸサイクルを使用する状態）とロングＤＲＸ動作（ロングＤＲＸサイクルを使用する状態）との間の状態遷移について説明する。基本的に、ＵＥ１００は、ショートＤＲＸからスタートし、「ｄｒｘＳｈｏｒｔＣｙｃｌｅＴｉｍｅｒ」により設定された期間が満了するとロングＤＲＸ動作に遷移する。
【００３７】
ＵＥ１００は、ＤＬデータを正しく復号できた時点で、「ｄｒｘＳｈｏｒｔＣｙｃｌｅＴｉｍｅｒ」を起動する。ＵＥ１００は、「ｄｒｘＳｈｏｒｔＣｙｃｌｅＴｉｍｅｒ」の動作中に新規データ受信を行った場合、当該データが正しく復号できた時点で再び「ｄｒｘＳｈｏｒｔＣｙｃｌｅＴｉｍｅｒ」を再開させる。一方、「ｄｒｘＳｈｏｒｔＣｙｃｌｅＴｉｍｅｒ」が満了するまでに新規データ受信を行わなかった場合、ショートＤＲＸからロングＤＲＸへと状態遷移する。そして、ロングＤＲＸに遷移した後に新規データを受信した場合、再びロングＤＲＸからショートＤＲＸへと状態遷移する。
【００３８】
上述したＤＲＸの各パラメータを含む設定情報（「Ｏｎ  ｄｕｒａｔｉｏｎ」、各種タイマ、ロングＤＲＸサイクル、ショートＤＲＸサイクル等）は、個別ＲＲＣメッセージ中の情報要素である「ＤＲＸ−Ｃｏｎｆｉｇ」によりＵＥ１００に設定される。
【００３９】
第１実施形態において、主にマシンタイプコミュニケーション（ＭＴＣ）をサポートするために、既存のＤＲＸサイクルよりも長い拡張ＤＲＸ（ｅｘｔｅｎｄｅｄ  ＤＲＸ）サイクルを新たに導入する。図５の例では、拡張ＤＲＸサイクルは、２５６０サブフレーム以上の時間長を有する。
【００４０】
拡張ＤＲＸは、既存の「ＤＲＸ−Ｃｏｎｆｉｇ」とは異なる情報要素として規定される。すなわち、拡張ＤＲＸの設定情報である「ＤＲＸ−Ｃｏｎｆｉｇ−ｖ１３ｘｘ」は、既存のＤＲＸの設定情報である「ＤＲＸ−Ｃｏｎｆｉｇ」とは異なる。「ＤＲＸ−Ｃｏｎｆｉｇ−ｖ１３ｘｘ」は、「Ｏｎ  ｄｕｒａｔｉｏｎ」及び各種タイマ等のパラメータを「ＤＲＸ−Ｃｏｎｆｉｇ」とは別に有していてもよい。
【００４１】
（コネクティッドモードにおける測定及び測定報告）
以下において、コネクティッドモードにおける測定及び測定報告について説明する。
【００４２】
コネクティッドモードのＵＥ１００は、ｅＮＢ２００から受信した測定設定情報（Ｍｅａｓｕｒｅｍｅｎｔ  Ｃｏｎｆｉｇ）に基づいて、セルごとの下りリンク参照信号（ＣＲＳ：Ｃｅｌｌ−ｓｐｅｃｉｆｉｃ  Ｒｅｆｅｒｅｎｃｅ  Ｓｉｇｎａｌ）に対する測定を行い、測定結果に関する測定報告（Ｍｅａｓｕｒｅｍｅｎｔ  Ｒｅｐｏｒｔ）をｅＮＢ２００に送信する。測定結果とは、参照信号受信電力（ＲＳＲＰ）及び／又は参照信号受信品質（ＲＳＲＱ）等である。ｅＮＢ２００は、測定報告に基づいてハンドオーバ制御等のモビリティ制御を行う。
【００４３】
「Ｍｅａｓｕｒｅｍｅｎｔ  Ｃｏｎｆｉｇ」は、個別ＲＲＣメッセージ中の情報要素である。「Ｍｅａｓｕｒｅｍｅｎｔ  Ｃｏｎｆｉｇ」は、報告設定情報（ＲｅｐｏｒｔＣｏｎｆｉｇ）、測定対象（ＭｅａｓＯｂｊｅｃｔ）、及び測定識別子（ＭｅａｓＩｄ）を含む。「ＲｅｐｏｒｔＣｏｎｆｉｇ」は、ＵＥ１００からｅＮＢ２００に対して「Ｍｅａｓｕｒｅｍｅｎｔ  Ｒｅｐｏｒｔ」を送信する条件を設定するものである。例えば、Ｅｖｅｎｔ-Ａ３で規定される条件によれば、周辺セルに対する測定結果が、現在のサービングセルに対する測定結果よりもオフセット値以上良くなった場合に、「Ｍｅａｓｕｒｅｍｅｎｔ  Ｒｅｐｏｒｔ」が送信される。また、Ｅｖｅｎｔ-Ａ４で規定される条件によれば、周辺セルに対する測定結果が、所定閾値よりも良くなった場合に、「Ｍｅａｓｕｒｅｍｅｎｔ  Ｒｅｐｏｒｔ」が送信される。また、Ｅｖｅｎｔ-Ａ２で規定される条件によれば、現在のサービングセルに対する測定結果が、所定閾値以下になった場合に、「Ｍｅａｓｕｒｅｍｅｎｔ  Ｒｅｐｏｒｔ」が送信される。また、「Ｐｅｒｉｏｄｉｃａｌ」で規定される条件によれば、「Ｍｅａｓｕｒｅｍｅｎｔ  Ｒｅｐｏｒｔ」によって、所定の報告周期で「Ｍｅａｓｕｒｅｍｅｎｔ  Ｒｅｐｏｒｔ」が送信される。オフセット値、所定閾値、所定の報告周期、報告回数、報告条件の種類等が、「ＲｅｐｏｒｔＣｏｎｆｉｇ」により設定される。
【００４４】
「ＭｅａｓＯｂｊｅｃｔ」は、ＵＥ１００が測定対象とすべき周波数及び／又はＲＡＴ（Ｒａｄｉｏ  Ａｃｃｅｓｓ  Ｔｅｃｈｎｏｌｏｇｙ）を設定するものである。「ＭｅａｓＩｄ」は、１つの「ＲｅｐｏｒｔＣｏｎｆｉｇ」と１つの「ＭｅａｓＯｂｊｅｃｔ」とを対応付けるために用いられる。ＵＥ１００は、「ＭｅａｓＩｄ」に対応する「ＭｅａｓＯｂｊｅｃｔ」によって指定されている測定対象について測定を行い、「ＭｅａｓＩｄ」によって「ＭｅａｓＯｂｊｅｃｔ」に対応する「ＲｅｐｏｒｔＣｏｎｆｉｇ」によって指定されている条件が満たされている場合、ｅＮＢ２００に対して「Ｍｅａｓｕｒｅｍｅｎｔ  Ｒｅｐｏｒｔ」を送信する。
【００４５】
上述したＤＲＸ動作を行うＵＥ１００は、消費電力の増加を抑制するために、オン期間（或いはアクティブ状態）においてのみ測定、具体的には、周波数内（Ｉｎｔｒａ−ｆｒｅｑｕｅｎｃｙ）測定を行うことが望ましい。「Ｉｎｔｒａ−ｆｒｅｑｕｅｎｃｙ」測定は、サービングセルと同じ周波数における測定である。以下において、ＵＥ１００がオン期間（アクティブ状態）においてのみ「Ｉｎｔｒａ−ｆｒｅｑｕｅｎｃｙ」測定を行う場合を想定する。
【００４６】
上述した拡張ＤＲＸが導入された場合、ＵＥ１００が非常に長い測定周期で「Ｉｎｔｒａ−ｆｒｅｑｕｅｎｃｙ」測定を行うことになり得る。オン期間（アクティブ状態）においてのみ「Ｉｎｔｒａ−ｆｒｅｑｕｅｎｃｙ」測定を行うと、測定周期は、拡張ＤＲＸサイクルと同等の周期（２５６０サブフレーム以上の時間長）になる。
【００４７】
（無線端末）
以下において、第１実施形態に係るＵＥ１００（無線端末）について説明する。図６は、ＵＥ１００の構成を示すブロック図である。図６に示すように、ＵＥ１００は、受信部１１０、送信部１２０、及び制御部１３０を備える。
【００４８】
受信部１１０は、制御部１３０の制御下で各種の受信を行う。受信部１１０は、アンテナ及び受信機を含む。受信機は、アンテナが受信する無線信号をベースバンド信号（受信信号）に変換して制御部１３０に出力する。
【００４９】
送信部１２０は、制御部１３０の制御下で各種の送信を行う。送信部１２０は、アンテナ及び送信機を含む。送信機は、制御部１３０が出力するベースバンド信号（送信信号）を無線信号に変換してアンテナから送信する。
【００５０】
制御部１３０は、ＵＥ１００における各種の制御を行う。制御部１３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、音声・映像信号の符号化・復号を行うコーデックを含んでもよい。プロセッサは、後述する各種の処理及び上述した各種の通信プロトコルを実行する。
【００５１】
このように構成されたＵＥ１００において、制御部１３０は、ｅＮＢ２００のセルにおいて拡張ＤＲＸ動作（コネクティッドモードの拡張ＤＲＸ動作）を行う場合、ｅＮＢ２００から受信した「Ｍｅａｓｕｒｅｍｅｎｔ  Ｃｏｎｆｉｇ」に基づいて、所定の測定周期で下りリンク参照信号に対する測定を行う。所定の測定周期は、拡張ＤＲＸ動作におけるＤＲＸサイクル（拡張ＤＲＸサイクル）に応じて定められる。例えば、所定の測定周期は、拡張ＤＲＸサイクルと同等の周期である。
【００５２】
制御部１３０は、自ＵＥ１００の移動速度に関する値が閾値を超えた場合、所定の測定周期よりも短い測定周期、例えば、拡張ＤＲＸサイクルよりも短い測定周期に変更する。すなわち、自ＵＥ１００の移動速度に関する値が閾値を超える前よりも短い測定周期に変更することにより、「Ｉｎｔｒａ−ｆｒｅｑｕｅｎｃｙ」測定の頻度を増加させる。
【００５３】
ＵＥ１００がＧＰＳ受信機を有している場合、自ＵＥ１００の移動速度に関する値は、ＧＰＳ受信機を用いて得られる移動速度である。或いは、ＵＥ１００が加速度センサを有している場合、加速度センサを用いて得られる加速度又は移動速度であってもよい。或いは、自ＵＥ１００の移動速度に関する値は、単位時間当たりのセル移行回数（例えば、ハンドオーバ回数）であってもよい。
【００５４】
また、自ＵＥ１００の移動速度に関する値と比較される閾値は、ｅＮＢ２００から指定された閾値又は事前設定された閾値である。或いは、ＤＲＸサイクルの値を閾値としてもよい。或いは、閾値は、セル（サービングセル）のサイズを示すセルサイズ情報及び測定により得られた測定値の少なくとも１つに基づいて設定されてもよい。以下において、このような閾値を「移動速度閾値」と称する。
【００５５】
（基地局）
以下において、第１実施形態に係るｅＮＢ２００（基地局）の構成について説明する。図７は、ｅＮＢ２００のブロック図である。図７に示すように、ｅＮＢ２００は、送信部２１０、受信部２２０、制御部２３０、及びバックホール通信部２４０を備える。
【００５６】
送信部２１０は、制御部２３０の制御下で各種の送信を行う。送信部２１０は、アンテナ及び送信機を含む。送信機は、制御部２３０が出力するベースバンド信号（送信信号）を無線信号に変換してアンテナから送信する。
【００５７】
受信部２２０は、制御部２３０の制御下で各種の受信を行う。受信部２２０は、アンテナ及び受信機を含む。受信機は、アンテナが受信する無線信号をベースバンド信号（受信信号）に変換して制御部２３０に出力する。
【００５８】
制御部２３０は、ｅＮＢ２００における各種の制御を行う。制御部２３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、後述する各種の処理及び上述した各種の通信プロトコルを実行する。
【００５９】
バックホール通信部２４０は、Ｘ２インターフェイスを介して隣接ｅＮＢ２００と接続され、Ｓ１インターフェイスを介してＭＭＥ／Ｓ−ＧＷ３００と接続される。バックホール通信部２４０は、Ｘ２インターフェイス上で行う通信及びＳ１インターフェイス上で行う通信等に使用される。
【００６０】
（動作シーケンス）
以下において、第１実施形態に係る動作シーケンスについて説明する。図８は、第１実施形態に係る動作シーケンスを示す図である。ＵＥ１００は、ｅＮＢ２００のセルにおいてコネクティッドモードである。
【００６１】
図８に示すように、ステップＳ１０において、ｅＮＢ２００の送信部２１０は、「Ｍｅａｓｕｒｅｍｅｎｔ  Ｃｏｎｆｉｇ」をＵＥ１００に送信する。ＵＥ１００の受信部１１０は、「Ｍｅａｓｕｒｅｍｅｎｔ  Ｃｏｎｆｉｇ」を受信する。ＵＥ１００の制御部１３０は、「Ｍｅａｓｕｒｅｍｅｎｔ  Ｃｏｎｆｉｇ」を保持し、「Ｍｅａｓｕｒｅｍｅｎｔ  Ｃｏｎｆｉｇ」に基づく測定を開始する。
【００６２】
ステップＳ２０において、ｅＮＢ２００の送信部２１０は、拡張ＤＲＸの設定情報（ここでは、「ｅＤＲＸ  Ｃｏｎｆｉｇ」と称する）をＵＥ１００に送信する。ＵＥ１００の受信部１１０は、「ｅＤＲＸ  Ｃｏｎｆｉｇ」を受信する。ＵＥ１００の制御部１３０は、「ｅＤＲＸ  Ｃｏｎｆｉｇ」を保持し、「ｅＤＲＸ  Ｃｏｎｆｉｇ」に基づく拡張ＤＲＸ動作に遷移する。また、ＵＥ１００の制御部１３０は、拡張ＤＲＸサイクルに応じて定められる所定の測定周期で「Ｉｎｔｒａ−ｆｒｅｑｕｅｎｃｙ」測定を行う。
【００６３】
ステップＳ２０は、ステップＳ１０の前に行われてもよい。或いは、ステップＳ１０及びステップＳ２０は同時に行われてもよい。この場合、「Ｍｅａｓｕｒｅｍｅｎｔ  Ｃｏｎｆｉｇ」及び「ｅＤＲＸ  Ｃｏｎｆｉｇ」を１つの個別ＲＲＣメッセージによりＵＥ１００に送信してもよい。なお、個別ＲＲＣメッセージは、「ＲＲＣ  Ｃｏｎｎｅｃｔｉｏｎ  Ｒｅｌｅａｓｅ」であってもよい。
【００６４】
ステップＳ３０において、ｅＮＢ２００の送信部２１０は、移動速度閾値を示す閾値情報をＵＥ１００に送信する。ＵＥ１００の受信部１１０は、閾値情報を受信する。ＵＥ１００の制御部１３０は、閾値情報に応じて移動速度閾値を設定する。但し、ステップＳ３０は必須ではなく、省略してもよい。
【００６５】
閾値情報は、システム情報の一種としてブロードキャストＲＲＣメッセージ（ＳＩＢ）により送信されてもよい。或いは、閾値情報は、個別ＲＲＣメッセージにより送信されてもよい。この場合、閾値情報は、ステップＳ１０又はステップＳ２０において送信されてもよい。
【００６６】
ステップＳ４０において、ＵＥ１００の制御部１３０は、自ＵＥ１００の移動速度に関する値が移動速度閾値を超えたか否かを判断し、自ＵＥ１００の移動速度に関する値が移動速度閾値を超えたことを検知する。
【００６７】
ステップＳ５０において、ＵＥ１００の制御部１３０は、拡張ＤＲＸサイクルに応じて定められる所定の測定周期よりも短い測定周期に変更する。すなわち、ＵＥ１００の制御部１３０は、ステップＳ４０以前の測定周期よりも短い測定周期に変更することにより、「Ｉｎｔｒａ−ｆｒｅｑｕｅｎｃｙ」測定の頻度を増加させる。
【００６８】
ＵＥ１００の制御部１３０は、測定の結果、ｅＮＢ２００に対して「Ｍｅａｓｕｒｅｍｅｎｔ  Ｒｅｐｏｒｔ」を送信する条件を示す報告条件が満たされたか否かを判断する。上述したように、報告条件は、「Ｍｅａｓｕｒｅｍｅｎｔ  Ｃｏｎｆｉｇ」中の「ＲｅｐｏｒｔＣｏｎｆｉｇ」により指定される。ここでは、報告条件が満たされたと仮定して説明を進める。
【００６９】
ステップＳ６０において、ＵＥ１００の送信部１２０は、「Ｍｅａｓｕｒｅｍｅｎｔ  Ｒｅｐｏｒｔ」を送信するための上りリンク無線リソースの割り当てを受けるために、スケジューリング要求（Ｓｃｈｅｄｕｌｉｎｇ  Ｒｅｑｕｅｓｔ）をｅＮＢ２００に送信する。ｅＮＢ２００の受信部２２０は、「Ｓｃｈｅｄｕｌｉｎｇ  Ｒｅｑｕｅｓｔ」を受信する。
【００７０】
ＵＥ１００の制御部１３０は、「Ｓｃｈｅｄｕｌｉｎｇ  Ｒｅｑｕｅｓｔ」をｅＮＢ２００に送信した後、拡張ＤＲＸ動作を停止する。ＵＥ１００の制御部１３０は、拡張ＤＲＸ動作を停止するとともに、拡張ＤＲＸ動作に比べてＤＲＸサイクルが短い所定のＤＲＸ動作に遷移してもよい。所定のＤＲＸ動作とは、例えばロングＤＲＸ動作又はショートＤＲＸ動作である。
【００７１】
ｅＮＢ２００の制御部２３０は、「Ｓｃｈｅｄｕｌｉｎｇ  Ｒｅｑｕｅｓｔ」の受信に応じて、ＵＥ１００に上りリンク無線リソースを割り当てる。ｅＮＢ２００の送信部２１０は、割り当てリソースを示すスケジューリング情報（ＵＬ  Ｇｒａｎｔ）をＵＥ１００に送信する。ＵＥ１００の受信部１１０は、「ＵＬ  Ｇｒａｎｔ」を受信する。
【００７２】
ステップＳ７０において、ＵＥ１００の送信部１２０は、「Ｍｅａｓｕｒｅｍｅｎｔ  Ｒｅｐｏｒｔ」をｅＮＢ２００に送信する。ｅＮＢ２００の受信部２２０は、「Ｍｅａｓｕｒｅｍｅｎｔ  Ｒｅｐｏｒｔ」を受信する。ｅＮＢ２００の制御部２３０は、「Ｍｅａｓｕｒｅｍｅｎｔ  Ｒｅｐｏｒｔ」に基づいて、ＵＥ１００を他のセルにハンドオーバするか否かを判断する。ここでは、ＵＥ１００を他のセルにハンドオーバすると判断したと仮定して、説明を進める。
【００７３】
ステップＳ８０において、ｅＮＢ２００の送信部２１０は、他のセルへのハンドオーバ指示（Ｈａｎｄｏｖｅｒ  Ｃｏｍｍａｎｄ）をＵＥ１００に送信する。ＵＥ１００の受信部１１０は、「Ｈａｎｄｏｖｅｒ  Ｃｏｍｍａｎｄ」を受信する。ＵＥ１００の制御部１３０は、「Ｈａｎｄｏｖｅｒ  Ｃｏｍｍａｎｄ」に基づいて、他のセルへのハンドオーバを行う。
【００７４】
（第１実施形態のまとめ）
コネクティッドモードの拡張ＤＲＸ動作を行うＵＥ１００は、自ＵＥ１００の移動速度に関する値が移動速度閾値を超えた場合、所定の測定周期よりも短い測定周期（例えば、拡張ＤＲＸサイクルよりも短い測定周期）に変更する。
【００７５】
第１実施形態において、ＵＥ１００は、拡張ＤＲＸサイクルに応じて定められる所定の測定周期よりも短い測定周期に変更する。すなわち、ＵＥ１００は、「Ｏｎ  ｄｕｒａｔｉｏｎ」（Ａｃｔｉｖｅ状態）以外においても「Ｉｎｔｒａ−ｆｒｅｑｕｅｎｃｙ」測定を行う。
【００７６】
よって、拡張ＤＲＸ動作を行うＵＥ１００が移動する場合でも、適切なモビリティ制御を実現可能とすることができる。
【００７７】
第１実施形態において、ＵＥ１００は、ｅＮＢ２００から受信した閾値情報に基づいて移動速度閾値を設定する。これにより、移動速度閾値をｅＮＢ２００ごと（又はセルごと）に異ならせることができる。よって、ｅＮＢ２００（又はセル）のカバレッジサイズに応じた最適な移動速度閾値を設定することができる。
【００７８】
［第１実施形態の変更例１］
上述した第１実施形態において、ＵＥ１００がｅＮＢ２００から受信した閾値情報に基づいて移動速度閾値を設定し、ＵＥ１００の移動速度が移動速度閾値を超えるか否かを判定する一例を説明した。
【００７９】
本変更例において、移動速度判定方法（図８のステップＳ４０）の他の例を説明する。図９（Ａ）は、本変更例に係る移動速度判定方法１を示すフロー図である。移動速度判定方法１は、ＤＲＸサイクルに基づいて移動速度閾値を設定する方法である。
【００８０】
図９（Ａ）に示すように、ステップＳ４１Ａにおいて、ＵＥ１００の制御部１３０は、一のハンドオーバ実行から次のハンドオーバ実行までに経過した時間（平均時間）であるハンドオーバ周期（Ｈａｎｄｏｖｅｒ  ｃｙｃｌｅ）を、現在使用しているＤＲＸサイクル（すなわち、拡張ＤＲＸサイクル）と比較する。ここで、「Ｈａｎｄｏｖｅｒ  ｃｙｃｌｅ」は、ＵＥ１００の移動速度に関する値に相当する。
【００８１】
「Ｈａｎｄｏｖｅｒ  ｃｙｃｌｅ」よりもＤＲＸサイクルが大きい場合（ステップＳ４１Ａ：Ｙｅｓ）、ステップＳ４２Ａにおいて、ＵＥ１００の制御部１３０は、自ＵＥ１００の移動速度に関する値が移動速度閾値を超えたことを検知する。
【００８２】
図９（Ｂ）は、本変更例に係る移動速度判定方法２を示すフロー図である。移動速度判定方法２は、サービングのサイズを示すセルサイズ情報及び測定により得られた測定値の少なくとも１つに基づいて移動速度閾値を設定する方法である。
【００８３】
図９（Ｂ）に示すように、ステップＳ４１Ｂにおいて、ＵＥ１００の制御部１３０は、自ＵＥ１００の移動速度に、現在使用しているＤＲＸサイクル（すなわち、拡張ＤＲＸサイクル）を乗じて得た値を、移動速度閾値と比較する。このような乗算値は、１ＤＲＸサイクル当たりの移動距離に相当する。また、移動速度閾値は、サービングのサイズ又は測定値（ＲＳＲＰ／ＲＳＲＱ測定値）に基づいて設定される。セルサイズ情報は、例えばサービングセルから送信される。セルサイズ情報に所定の係数（Ｎ）を乗じて得た値を移動速度閾値としてもよい。ＲＳＲＰ／ＲＳＲＱ測定値から、セルエッジまでの距離を推定することが可能であり、セルエッジまでの距離を移動速度閾値として設定する。或いは、事前設定された値（Ｘ）を移動速度閾値として設定してもよい。
【００８４】
ステップＳ４１Ｂにおいて「Ｙｅｓ」の場合、ステップＳ４２Ｂにおいて、ＵＥ１００の制御部１３０は、自ＵＥ１００の移動速度に関する値が移動速度閾値を超えたことを検知する。
【００８５】
このように、本変更例によれば、現在使用しているＤＲＸサイクルを加味して自ＵＥ１００の移動速度が高いとみなされる状況下で、測定周期を短縮することができる。
【００８６】
［第１実施形態の変更例２］
本変更例において、ＵＥ１００の制御部１３０は、自ＵＥ１００の移動速度に関する値に応じて、報告条件（ＲｅｐｏｒｔＣｏｎｆｉｇ）を変更する。具体的には、報告条件を緩和し、「Ｍｅａｓｕｒｅｍｅｎｔ  Ｒｅｐｏｒｔ」の送信が迅速化されるように、報告条件（ＲｅｐｏｒｔＣｏｎｆｉｇ）を変更する。
【００８７】
例えば、移動速度が高くなった場合、ＴＴＴ（Ｔｉｍｅ  Ｔｏ  Ｔｒｉｇｇｅｒ）を短く設定し、移動速度が遅くなった場合はＴＴＴを長く設定する。ＴＴＴとは、特定のトリガ条件（Ｅｖｅｎｔ条件）が満たされるべき持続時間である。このように制御することで、測定回数を最小限にとどめることができる。よって、測定周期を短縮しても、ＵＥ１００の消費電力の増加を抑制することができる。
【００８８】
なお、トリガ条件の可変範囲（α）は、ｅＮＢ２００から設定されてもよい。例えば、「ＲｅｐｏｒｔＣｏｎｆｉｇ」で指定されたＴＴＴ±α[秒]と設定された場合、ＵＥ１００は、自身の移動速度に応じてα[秒]を可変させる。或いは、トリガ条件の上限値又は下限値をｅＮＢ２００が指定してもよい。
【００８９】
［第１実施形態の変更例３］
本変更例において、ＵＥ１００の制御部１３０は、「Ｓｃｈｅｄｕｌｉｎｇ  Ｒｅｑｕｅｓｔ」を送信（図８のステップＳ６０）した後、特別なバッファ状態報告をｅＮＢ２００に送信することにより、拡張ＤＲＸ動作の停止をｅＮＢ２００に通知する。特別なバッファ状態報告とは、例えばバッファ量がゼロであることを示すバッファ状態報告である。
【００９０】
ｅＮＢ２００の受信部２２０は、特別なバッファ状態報告を受信する。ｅＮＢ２００は、特別なバッファ状態報告に基づいて、ＵＥ１００が拡張ＤＲＸ動作を停止することを把握可能である。
【００９１】
［第１実施形態の変更例４］
上述した第１実施形態において、ＵＥ１００は、「Ｓｃｈｅｄｕｌｉｎｇ  Ｒｅｑｕｅｓｔ」をｅＮＢ２００に送信していた（図８のステップＳ６０）。しかしながら、上りリンクのタイミング同期が維持されていない状態である場合、「Ｓｃｈｅｄｕｌｉｎｇ  Ｒｅｑｕｅｓｔ」に代えて、ランダムアクセスプリアンブルをｅＮＢ２００に送信してもよい。上りリンクのタイミング同期が維持されていない状態とは、例えばタイムアライメントタイマが満了している状態である。
【００９２】
ｅＮＢ２００は、ランダムアクセスプリアンブルの受信に応じて、上りリンクスケジューリング情報と共にタイミングアドバンスをＵＥ１００に送信する。ＵＥ１００は、上りリンクスケジューリング情報の受信に応じて、接続要求メッセージをｅＮＢ２００に送信してもよい。接続要求メッセージとは、例えば「ＲＲＣ  Ｃｏｎｎｅｃｔｉｏｎ  Ｒｅｑｕｅｓｔ」メッセージである。但し、ＲＲＣ接続が維持されている場合、ＵＥ１００は、「ＲＲＣ  Ｃｏｎｎｅｃｔｉｏｎ  Ｒｅｑｕｅｓｔ」メッセージを送信しない。
【００９３】
ここで、ＵＥ１００は、特別な接続要求メッセージをｅＮＢ２００に送信することにより、拡張ＤＲＸ動作の停止をｅＮＢ２００に通知してもよい。特別な接続要求メッセージとは、例えば、拡張ＤＲＸ動作を停止する（すなわち、ロングＤＲＸ動作に遷移する）ことを示すフラグを含む「ＲＲＣ  Ｃｏｎｎｅｃｔｉｏｎ  Ｒｅｑｕｅｓｔ」メッセージである。
【００９４】
或いは、ＵＥ１００は、特別な接続要求メッセージとして、通常のランダムアクセスプリアンブルとは異なる特別なランダムアクセスプリアンブルを送信してもよい。この場合、ランダムアクセスプロシージャのＭｓｇ１において、予め定められたシーケンス（信号系列）を用いてプリアンブルが送信された場合は、拡張ＤＲＸの停止である事を示すことができる。或いは、ランダムアクセスプロシージャにおける、Ｍｓｇ３で伝送する情報（例えば、ＭＡＣ  Ｃｏｎｔｒｏｌ  Ｅｌｅｍｅｎｔ）において、拡張ＤＲＸの停止を示す情報を通知してもよい。
【００９５】
或いは、前記「ＲＲＣ  Ｃｏｎｎｅｃｔｉｏｎ  Ｒｅｑｕｅｓｔ」の代わりに、「ＲＲＣ  ＣｏｎｎｅｃｔｉｏｎＲｅｅｓｔａｂｌｉｓｈｍｅｎｔ  Ｒｅｑｕｅｓｔ」を用いてもよい。
【００９６】
［第１実施形態の変更例５］
上述した第１実施形態において、ＵＥ１００が、「Ｓｃｈｅｄｕｌｉｎｇ  Ｒｅｑｕｅｓｔ」をｅＮＢ２００に送信した後、拡張ＤＲＸ動作からロングＤＲＸ動作に遷移する一例を説明した。
【００９７】
本変更例において、ＵＥ１００は、拡張ＤＲＸ動作のための第１のＤＲＸパラメータを含む第１のＤＲＸ設定情報（ｅＤＲＸ−Ｃｏｎｆｉｇ）と、ロングＤＲＸ動作のための第２のＤＲＸパラメータを含む第２のＤＲＸ設定情報（ＤＲＸ−Ｃｏｎｆｉｇ）と、を有する。ＵＥ１００は、第１のＤＲＸパラメータの一部と第２のＤＲＸパラメータの一部との組み合わせをロングＤＲＸ動作に適用する。
【００９８】
例えば、ｅＤＲＸ−ＣｏｎｆｉｇとＤＲＸ−Ｃｏｎｆｉｇとを比較して、省電力となるＤＲＸパラメータだけを選択する。
【００９９】
第１に、「Ｏｎ  Ｄｕｒａｔｉｏｎ  Ｔｉｍｅｒ」については、短い方の設定値を使用する。
【０１００】
第２に、「Ｉｎａｃｔｉｖｉｔｙ  Ｔｉｍｅｒ」については、短い方の設定値を使用する。
【０１０１】
第３に、「Ｒｅｔｒａｎｓｍｉｓｓｉｏｎ  Ｔｉｍｅｒ」については、短い方の設定を使用する。
【０１０２】
なお、ＤＲＸサイクルについては、「ＤＲＸ−Ｃｏｎｆｉｇ」中のロングＤＲＸサイクルを使用する。
【０１０３】
このような設定は、一定期間のみ有効としてもよい。この場合、当該一定期間はｅＮＢ２００により指定されてもよい。
【０１０４】
［第１実施形態の他の変更例］
ＵＥ１００は、「Ｓｃｈｅｄｕｌｉｎｇ  Ｒｅｑｕｅｓｔ」又はランダムアクセスプリアンブルをｅＮＢ２００に送信した後においても、拡張ＤＲＸ動作を継続してもよい。この場合、上述した変更例５と同様の方法を拡張ＤＲＸ動作について適用してもよい。
【０１０５】
上述した実施形態において、「Ｉｎｔｒａ−ｆｒｅｑｕｅｎｃｙ」測定について主として説明した。しかしながら、周波数間（Ｉｎｔｅｒ-ｆｒｅｑｕｅｎｃｙ）測定に本発明を適用してもよい。「Ｍｅａｓｕｒｅｍｅｎｔ  Ｃｏｎｆｉｇ」は、「Ｉｎｔｅｒ-ｆｒｅｑｕｅｎｃｙ」測定の測定ギャップのための「ｇａｐＯｆｆｓｅｔ」を含む。「ｇａｐＯｆｆｓｅｔ」に「ｇｐ０」が設定されている場合、測定ギャップの周期は「４０ｍｓ」となり、「ｇａｐＯｆｆｓｅｔ」に「ｇｐ１」が設定されている場合、測定ギャップの周期は「８０ｍｓ」となる。拡張ＤＲＸが導入される場合、拡張ＤＲＸ用に新たな「ｇａｐＯｆｆｓｅｔ」が導入されることが想定される。そのような長い「ｇａｐＯｆｆｓｅｔ」が設定された場合、ＵＥ１００は、自ＵＥ１００の移動速度に関する値が移動速度閾値を超えた場合、「ｇａｐＯｆｆｓｅｔ」が示すギャップ周期よりも短い測定周期に変更する。これにより、拡張ＤＲＸ動作を行うＵＥ１００が移動する場合でも、適切なモビリティ制御を実現可能とすることができる。
【０１０６】
［第２実施形態］
以下において、第２実施形態について、第１実施形態との相違点を主として説明する。上述した第１実施形態において、主としてコネクティッドモードのＤＲＸ動作を想定していた。
【０１０７】
これに対し、第２実施形態は、コネクティッドモードのＤＲＸ動作だけではなく、アイドルモードのＤＲＸ動作にも適用可能である。アイドルモードのＤＲＸ動作において、ＤＲＸサイクルは、ページングサイクルと称されてもよい。アイドルモードのＤＲＸ動作を行うＵＥ１００は、ページングメッセージを受信するためにＰＤＣＣＨを間欠的に監視する。また、アイドルモードのＤＲＸ動作においては、ｅＮＢ２００がＵＥ１００にＤＲＸ動作を設定する場合に限定されず、ＭＭＥ３００がＵＥ１００にＤＲＸ動作を設定可能である。
【０１０８】
第２実施形態に係るＵＥ１００は、ＵＥ１００の移動速度に関する値が閾値を超えた場合、拡張ＤＲＸ動作を停止する。ＵＥ１００の移動速度に関する値の取得方法及び閾値の設定方法については、第１実施形態と同様である。ＵＥ１００は、拡張ＤＲＸ動作を停止するか否かを示す情報をネットワークに送信してもよい。
【０１０９】
第２実施形態において、ＵＥ１００は、ネットワークがセル間非同期（Ａｓｙｎｃｈｒｏｎｏｕｓ  ｄｅｐｌｏｙｍｅｎｔ）である状況下で、ＵＥ１００の移動速度に関する値が閾値を超えた場合、拡張ＤＲＸ動作を停止してもよい。
【０１１０】
第２実施形態において、ＵＥ１００は、ネットワークがセル間非同期であることを示す情報をネットワークから取得する。或いは、ＵＥ１００は、無線信号に対する測定を行うことにより、ネットワークがセル間非同期であるか否かを自律的に判断してもよい。
【０１１１】
（動作環境の一例）
図１０は、第２実施形態に係る動作環境の一例を示す図である。ここでは、アイドルモードのＤＲＸ動作を想定する。
【０１１２】
図１０に示すように、ｅＮＢ２００−１はセルＡを管理し、ｅＮＢ２００−２はセルＢを管理し、ｅＮＢ２００−３はセルＣを管理している。セルＡ、Ｂ、及びＣは、同一のトラッキングエリア（ＴＡ）に属している。セルＡ及びＢは隣接し、セルＢ及びＣは隣接している。
【０１１３】
セルＡ、Ｂ、及びＣは、セル間非同期（Ａｓｙｎｃｈｒｏｎｏｕｓ  ｄｅｐｌｏｙｍｅｎｔ）である。図１０の例において、セルＢのＳＦＮ（Ｓｙｓｔｅｍ  Ｆｒａｍｅ  Ｎｕｍｂｅｒ）は、セルＡのＳＦＮ＋１である。また、セルＣのＳＦＮは、セルＡのＳＦＮ＋ｍである（ｍ≧２）。
【０１１４】
ＵＥ１００は、セルＡからセルＢへ移動した後、セルＢからセルＣへ移動する。ここで、ＵＥ１００がセルＢに在圏している際に、各セルがＳＦＮ＝ＮでＵＥ１００宛てのページングメッセージを送信する。しかしながら、この時点でセルＢのＳＦＮはＮ＋１であるため、セルＢは自身のＳＦＮが再びＮになるまでページングメッセージを送信しない。このため、ＵＥ１００は、セルＢにおいて長時間にわたってページングメッセージを受信不可になる。ＵＥ１００がセルＣに移動した場合にも同様の問題が生じ得る。特に、拡張ＤＲＸはＤＲＸサイクル（ページングサイクル）が非常に長いため、深刻な問題になり得る。
【０１１５】
そこで、第２実施形態に係るＵＥ１００は、ネットワークがセル間非同期である状況下で、ＵＥ１００の移動速度に関する値が閾値を超えた場合、拡張ＤＲＸ動作を停止する。ＵＥ１００は、拡張ＤＲＸ動作を停止するか否かを示す情報をｅＮＢ２００又はＭＭＥ３００に送信してもよい。
【０１１６】
（動作シーケンスの一例）
図１１は、第２実施形態に係る動作シーケンスの一例を示す図である。ここでは、主としてアイドルモードのＤＲＸ動作を想定する。
【０１１７】
図１１に示すように、ステップＳ１０１において、ｅＮＢ２００は、自セルが他セルとの間でセル間非同期である場合に、その旨の通知（Ａｓｙｎｃｈｒｏｎｏｕｓ  ｄｅｐｌｏｙｍｅｎｔ通知）を当該自セル内のＵＥ１００に送信する。「Ａｓｙｎｃｈｒｏｎｏｕｓ  ｄｅｐｌｏｙｍｅｎｔ」通知は、ＳＩＢ（Ｓｙｓｔｅｍ  Ｉｎｆｏｒｍａｔｉｏｎ  Ｂｌｏｃｋ）によりブロードキャストで送信される。或いは、「Ａｓｙｎｃｈｒｏｎｏｕｓ  ｄｅｐｌｏｙｍｅｎｔ」通知は、個別ＲＲＣシグナリング等によりＵＥ１００に送信されてもよい。ＵＥ１００は、「Ａｓｙｎｃｈｒｏｎｏｕｓ  ｄｅｐｌｏｙｍｅｎｔ」通知に基づいて、自ＵＥ１００がキャンプ（在圏）しているセル（サービングセル）が「Ａｓｙｎｃｈｒｏｎｏｕｓ  ｄｅｐｌｏｙｍｅｎｔ」であることを把握する。なお、ｅＮＢ２００は、「Ａｓｙｎｃｈｒｏｎｏｕｓ  ｄｅｐｌｏｙｍｅｎｔ」通知をＭＭＥ３００に送信してもよい。
【０１１８】
或いは、ＵＥ１００は、サービングセル及びそれに隣接する隣接セルのそれぞれの無線信号に対する測定を行うことにより、サービングセルが隣接セルとの間でセル間非同期であるか否かを自律的に判断してもよい。例えば、ＵＥ１００は、サービングセル及び隣接セルのそれぞれのＭＩＢ（Ｍａｓｔｅｒ  Ｉｎｆｏｒｍａｔｉｏｎ  Ｂｌｏｃｋ）に含まれる「ｓｙｓｔｅｍＦｒａｍｅＮｕｍｂｅｒ」に基づいて、サービングセルと隣接セルが同期しているか否か、つまり、サービングセルが隣接セルとの間でセル間非同期か否かを判断することができる。一例として、ＵＥ１００は、ＵＥ１００の同時期に受信したサービングセルのＭＩＢに含まれる「ｓｙｓｔｅｍＦｒａｍｅＮｕｍｂｅｒ」と隣接セルのＭＩＢに含まれる「ｓｙｓｔｅｍＦｒａｍｅＮｕｍｂｅｒ」とが互いに一致する場合には、サービングセルと隣接セルとが同期していると判断してもよく、一方で、互いに一致しない場合にはサービングセルと隣接セルとが非同期であると判断してもよい。なお、ＵＥ１００が、サービングセルが隣接セルとの間でセル間非同期であるか否かを自律的に判断する場合、ステップＳ１０１は省略してもよい。
【０１１９】
ステップＳ１０２において、ｅＮＢ２００は、移動速度の閾値（Ｓｐｅｅｄ  ｔｈｒｅｓｈｏｌｄ）を示す閾値情報をＵＥ１００に送信する。なお、第１実施形態と同様に、「Ｓｐｅｅｄ  ｔｈｒｅｓｈｏｌｄ」は、セルサイズ（サイト間距離）が考慮された値であってもよい。但し、「Ｓｐｅｅｄ  ｔｈｒｅｓｈｏｌｄ」がＵＥ１００に事前設定されている場合、ステップＳ１０２は必須ではなく、省略してもよい。
【０１２０】
ステップＳ１０３において、ＵＥ１００は、ＵＥ１００の移動速度に関する値を「Ｓｐｅｅｄ  ｔｈｒｅｓｈｏｌｄ」と比較し、自身が高速移動中であるか否かを判断する。ＵＥ１００は、ＵＥ１００の移動速度に関する値が「Ｓｐｅｅｄ  ｔｈｒｅｓｈｏｌｄ」を超える場合、自身が高速移動中であると判断し（ステップＳ１０３  ＹＥＳ）、ステップＳ１０４に処理を進める。一方で、ＵＥ１００は、ＵＥ１００の移動速度に関する値が「Ｓｐｅｅｄ  ｔｈｒｅｓｈｏｌｄ」を超えない場合、自身が高速移動中ではないと判断し（ステップＳ１０３  ＮＯ）、一定期間後にステップＳ１０３の処理を再度実行する。なお、ＵＥ１００は、自身が高速移動中ではないと判断した場合（ステップＳ１０３  ＮＯ）、ステップＳ１０３の処理を再度実行しなくてもよい。
【０１２１】
ステップＳ１０４において、ＵＥ１００は、拡張ＤＲＸ動作を停止する（又は禁止する）。具体的には、ＵＥ１００は、拡張ＤＲＸ動作の設定情報を有していても、当該設定情報を適用しない（すなわち、当該設定情報を無効化する）。ここで、ＵＥ１００が拡張ＤＲＸ動作の設定情報を適用しない場合には、ＵＥ１００が拡張ＤＲＸ動作をしていないときも含む。ＵＥ１００は、拡張ＤＲＸ動作の設定情報に加えて通常のＤＲＸ動作の設定情報も有している場合、拡張ＤＲＸ動作から通常のＤＲＸ動作に切り替えてもよい。
【０１２２】
ステップＳ１０５において、ＵＥ１００は、拡張ＤＲＸ動作を停止することを示す通知（拡張ＤＲＸ停止通知）をｅＮＢ２００に送信する。拡張ＤＲＸ停止通知は、ＵＥ１００が高速移動中であることを示す通知とみなすこともできる。このような通知を受信したｅＮＢ２００は、コネクティッドモードの拡張ＤＲＸ動作をＵＥ１００に設定しないことが好ましい。
【０１２３】
ＵＥ１００は、「ＵＥ  Ａｓｓｉｓｔａｎｃｅ  Ｉｎｆｏｒｍａｔｉｏｎ」メッセージにより拡張ＤＲＸ停止通知をｅＮＢ２００に送信してもよい。ｅＮＢ２００は、ＵＥ１００から受信した拡張ＤＲＸ停止通知をＭＭＥ３００に転送してもよい。或いは、ＵＥ１００は、ＮＡＳシグナリングにより拡張ＤＲＸ停止通知をＭＭＥ３００に送信してもよい。
【０１２４】
なお、「Ａｓｙｎｃｈｒｏｎｏｕｓ  ｄｅｐｌｏｙｍｅｎｔ」通知又は拡張ＤＲＸ停止通知を受信したＭＭＥ３００は、ＮＡＳシグナリングによる拡張ＤＲＸの設定をＵＥ１００に対して行わないことが好ましい。
【０１２５】
なお、本シーケンスでは、ＵＥ１００が拡張ＤＲＸ動作を停止する動作を例示した。しかしながら、ＵＥ１００の移動速度が低下した場合に、ＵＥ１００が拡張ＤＲＸ動作を開始（すなわち、拡張ＤＲＸ動作の設定情報を有効化）してもよい。この場合、ＵＥ１００は、拡張ＤＲＸ動作を開始することを示す通知をｅＮＢ２００及び／又はＭＭＥ３００に送信してもよい。
【０１２６】
上記実施形態は、ＵＥ１００が拡張ＤＲＸ動作の設定情報を有する場合を前提としているが、これに限られず、ＵＥ１００が拡張ＤＲＸ動作の設定情報を有していない（ＵＥ１００に拡張ＤＲＸ動作の設定情報が通知されていない）場合において、ＵＥ１００から拡張ＤＲＸ停止通知を受けると、ｅＮＢ２００は、それ以後、ＵＥ１００に拡張ＤＲＸ動作の設定情報を通知しないこととしてもよい。
【０１２７】
［その他の実施形態］
ｅＮＢ２００は、セルがセル間非同期の場合に、拡張ＤＲＸ設定情報をＵＥ１００に通知しなくてもよい。
【０１２８】
上記実施形態においては、ＵＥ１００が拡張ＤＲＸ動作を停止する条件として、ＵＥ１００の移動速度に関する値が閾値を超えた場合をその条件としているが、これに限られず、ＵＥ１００の移動速度に関する値が閾値を超えない場合であっても、サービングセルが隣接セルとの間でセル間非同期の場合には、拡張ＤＲＸ動作を停止してもよい。
【０１２９】
上述した第１実施形態及び第２実施形態は、別個独立に実施する場合に限定されず、相互に組み合わせて実施可能である。
【０１３０】
上述した実施形態において、移動通信システムとしてＬＴＥシステムを例示した。しかしながら、本発明はＬＴＥシステムに限定されない。ＬＴＥシステム以外のシステムに本発明を適用してもよい。
【０１３１】
［付記］
以下において、上述した実施形態の補足事項について説明する。
【０１３２】
（1.  はじめに）
TSG-RAN#67で、LTEにおける拡張DRX（extended DRX）のためのRAN強化について新しいワークアイテムが承認された。ワークアイテムの目的は、以下のように、アイドル及びコネクティッドUEの両方のためのRANの仕様に拡張DRXサイクルを提供することを目的としている。
【０１３３】
・アイドルモードUEのための非常に大きな省電力を提供するためにアイドルモードDRXサイクルを拡張する。
【０１３４】
・コネクティッドモードUEのために現在可能な省電力に対する追加の省電力を可能にするためにコネクティッドモードDRXサイクルを拡張する。
【０１３５】
ワークアイテムの開始に先立って、RAN2は、進行中の関連研究の成果としてSA2から3つの問題を知らされた。RAN2はUMTS及びLTEのそれぞれのセッションに対して応答するであろうと結論づけられている。
【０１３６】
問題1：  UE/アプリケーションにより望まれる最大応答時間を与えられる場合、RAN/GERANの特徴を考慮に入れてどのようにeDRX値を導出するのか（例えば、セル間のSFN又はフレームタイミングアライメントなどの欠如により起こり得るページングミス）。
【０１３７】
問題2：  UEがセル再選択を行った場合でも、通常のDRXに対するページング信頼性と同様にUEのページング機会でページングを受信することができるための信頼性レベルを維持する方法。
【０１３８】
問題3：  アイドルモードUE測定及びセル再選択への影響
この付記では、3つの問題の分析が提供される。
【０１３９】
（2.  検討）
（2.1.  問題1）
問題1は以下の通りである。
【０１４０】
問題1：  UE/アプリケーションにより望まれる最大応答時間を与えられる場合、RAN/GERANの特徴を考慮に入れてどのようにeDRX値を導出するのか（例えば、セル間のSFN又はフレームタイミングアライメントなどの欠如により起こり得るページングミス）。
【０１４１】
アイドルモードのケース：
最大応答時間（又は最大レイテンシ時間）は、高レイテンシ通信を伴うMTCの各種アプリケーションをサポートするよう3GPPシステムを円滑化にするためにSA2において研究されている。「最大レイテンシ」は、アプリケーションの観点からは、ASアプリケーションが既存のIP接続上の3GPP拘束デバイスにDLデータを送信した時点から当該デバイスがDLデータを受信するまでの経過時間として定義される。RAN2の観点からは、最大応答時間は、MMEからのページの到着とUEでのDLデータの受信成功との間の時間に等しく、すなわちそれは主にページングサイクルに依存する。同期配備が想定される場合、最大応答時間は単にページングサイクルであると考えられる。
【０１４２】
考察1：  同期配備が想定される場合、最大応答時間は現在のページングサイクルによって決定される。
【０１４３】
SA2は、例えば、非同期配備で発生し得るセル間のSFNアライメントの欠如の懸念を指摘する。最悪のケースでは、図10に示すように、SFN = Nを有するセルAからSFN = N + 1を有するセルBにUEが移動すると考えられる。この場合、ページングを一度逃し、例えばdefaultPagingCycleにより設定されるページングサイクルの間は次の機会を待つ必要があり、それは現在のメカニズムでも発生し得る。CNからのページングがSFN = N + 1で生じ、UEがセル再選択により一旦機会を逃すという最悪のケースを考慮すると、{(Paging cycle) - 1 )+(Paging cycle)} ≒ 2 * (Paging cycle)後にUEがページングを受信し、UEはページング受信後に応答を行う。
【０１４４】
考察2：  2つのみの非同期セルを考慮する場合、最大応答時間は現在の2つのページングサイクルであると考えられる。
【０１４５】
ページングサイクルが、非常に長い時間、すなわち2.56sを超え、SA2/CTと共同で決定されるべき値までに設定されるeDRX動作を想定すると、UEはページングサイクル内でさらにセルCに移動し得る。この場合、UEは二回のページング機会を逃し得るため、応答時間がさらに増加し得る。条件は、ページングサイクル、UEの速度、ネットワークの配備（すなわち、セルの大きさ又はISD、サイト間の距離）などに応じて変化する。よって、RAN2は、特別な条件、例えば、UE自身が移動速度に応じてより長いDRXサイクルを適用するか決定することをeDRXに適用可能とすべきか議論すべきである。
【０１４６】
考察3：  セル間のSFNが非同期であると想定する場合、アイドルUEに対する最大応答時間は、非常に長いページングサイクル、高速UE、及び短いISD配備の条件下では保証することができない。
【０１４７】
提案1：  非常に長いページングサイクルを有する非同期配備について、UEがeDRXのための特別な条件を適用することが許可される場合、アイドルUEに対する過度の応答時間を軽減することができる。
【０１４８】
コネクティッドモードのケース：
コネクティッドモードについてWIDは以下のように記述する。
【０１４９】
この作業ではコネクティッドモードモビリティの機能強化は考慮されず、すなわち、コネクティッドモードにおいて、現在のモビリティ、RRM/RLM手順は、拡張DRXサイクルを使用するUEのために適用する。
【０１５０】
現在のRRMの仕様によれば、DRXサイクルが2.56 [s]に設定される場合、新たに検出可能なFDD/TDD周波数内セルを識別するための時間、すなわち、Tidentify_intraの要件は、“20 * (DRX Cycle)”と仕様化されている。また、別周波数セルについてのTidentify_interは、通常の性能について“20 * Kn * Nfreq,n” [s]と仕様化され、低い性能について“20 * Kr * Nfreq,r” [s]と仕様化されており、IncMonが適用される場合はKn = 1であり、Nfreq = Nfreq,n + Nfreq,rは、監視されるキャリアの数を表す。これらの要件は測定報告のレイテンシに影響を与え、ハンドオーバ遅延にインパクトを与える。既存の係数が想定され、10.24 [s]がDRX cycle (20 * 10.24 [s])として設定される場合、周波数内のケースであっても204.8 [s]の遅延が想定されるので、eDRX、すなわち長いDRXサイクルではより深刻になる。ハンドオーバ失敗の増加以外に、同期/非同期の配備と無関係に、アイドルモードの場合と同様なアクセス遅延を引き起こす。このような障害を回避し、最大応答時間を保証するために、サービングセルは、eDRXを設定するUEを注意深く選択すべきであり、例えば、長いDRXサイクルを使用するように静止UEのみが設定される。
【０１５１】
提案2：  サービングセルがeDRXのためのUEを注意深く選択する限りは、コネクティッドUEに対する最大応答時間を保証し、DRXサイクルに等しくすることができる。
【０１５２】
他の態様：
アプリケーション層での最大応答時間の取り扱い、おそらく新しい概念であるので、最大応答時間とDRXサイクルとの関係を慎重に検討すべきである。RAN2の観点からは、上位層からのデータ入力と無線インタフェース上のデータの送信/受信との間のレイテンシ、例えば、RACHプロシージャ、RRC接続セットアップ、リソース割り当てなどが考慮されるべきである。よって、RAN2は、無線インタフェース上のレイテンシがDRXサイクルに加えて考慮される必要があることSA2に知らせるべきである。なお、CNノードを介したレイテンシをどのように取り扱うかはRAN2の射程外である。
【０１５３】
提案3：  最大応答時間は、呼セットアップ及びQoS制御に関する遅延のためのマージンも考慮に入れるべきである。
【０１５４】
（2.2.  問題2）
問題2は、問題1と同じ状況として理解されるが、アイドルモードにのみ適用することができる。
【０１５５】
問題2：  UEがセル再選択を行った場合でも、通常のDRXに対するページング信頼性と同様にUEのページング機会でページングを受信することができるための信頼性レベルを維持する方法。
【０１５６】
セル再選択が行われていない限り、ページング機会でページングを受信するための信頼性は、既存のDRXメカニズムのそれと同じであり得る。セル再選択が発生した場合でも、同期配備は、現在と同様のページングの信頼性を確保することができる。非同期配備では、特別なルール、例えば、非同期セル間のセル再選択が最も深刻な問題を引き起こすので、UEがeDRX中のセル再選択を避けることを保証することを適用することで、信頼性を維持することができる。2.1で説明したように、信頼性も、設定されるページングサイクル、UEの速度、ネットワークの配備に依存する。
【０１５７】
提案4：  RAN2は、非同期配備においてページング受信の信頼性を保証するためのeDRXための特別なルールを適用可能とすべきか議論すべきである。
【０１５８】
（2.3.  問題3）
問題3は、以下に引用される。
【０１５９】
問題3：  アイドルモードUE測定とセル再選択への影響
アイドルモードプロシージャのRAN2の仕様については、ページングサイクルとセル再選択との間の関係はない。その原理はeDRX動作で再利用されることが期待される。よって、インパクトは見られない。
【０１６０】
しかし、RAN4仕様には影響し得る。よって、RAN2は、eDRXを伴うアイドルモードUE測定とセル再選択への影響の分析を依頼するためにLSをRAN4に送るべきである。
【０１６１】
提案5：  RAN2は、問題3についての分析を依頼するためにLSをRAN4に送るべきである。
【０１６２】
[相互参照]
米国仮出願第６２／１２１６１６号（２０１５年２月２７日出願）及び米国仮出願第６２／１６２２０４号（２０１５年５月１５日出願）の全内容が参照により本願明細書に組み込まれている。
【産業上の利用可能性】
【０１６３】
本発明は、通信分野において有用である。
【図１】
2016136958.tif 000003
【図２】
2016136958.tif 000004
【図３】
2016136958.tif 000005
【図４】
2016136958.tif 000006
【図５】
2016136958.tif 000007
【図６】
2016136958.tif 000008
【図７】
2016136958.tif 000009
【図８】
2016136958.tif 000010
【図９】
2016136958.tif 000011
【図１０】
2016136958.tif 000012
【図１１】
2016136958.tif 000013
【国際調査報告】
2016136958.tif 000014
2016136958.tif 000015